(57)【要約】【課題】平坦でない表面に用いるフック用防水軟質シールを提供する。【解決手段】平坦でない表面に用いるフック用防水軟質シール１は、軟質粘着体２を備える。軟質粘着体２の表面には、滑らかな樹脂により成形する硬質滑らか面４を設置する。軟質粘着体２の底部には、接着剤３を均一に設置する。軟質粘着体２を平坦でない表面に緊密に接着することで、凹凸模様を備える材質、壁紙、或いは平坦でない壁面上に平坦で滑らかなエリアを形成し、使用者はこのエリアに、粘着式、吸盤式、或いは静電吸着式フックを堅固に粘着させ、或いは吸着させることができる。これにより、各フックを平坦でない表面に固定して使用することができる。【選択図】図２
0003194280.tif 000002
【実用新案登録請求の範囲】
【請求項１】
平坦でない表面に用いるフック用防水軟質シールであって、軟質粘着体を備え、前記軟質粘着体の表面と底部には、接着剤を均一に設置し、前記軟質粘着体の厚みは、０．１ｍｍ〜２ｍｍで、前記軟質粘着体は、シリコン接着剤で、前記接着剤は、移動させて接着できる接着剤、或いは永久接着剤であることを特徴とする平坦でない表面に用いるフック用防水軟質シール。
【請求項２】
平坦でない表面に用いるフック用防水軟質シールであって、軟質粘着体を備え、前記軟質粘着体の表面には、滑らかな樹脂により成形する硬質滑らか面を設置し、前記軟質粘着体の底部には、接着剤を均一に設置し、前記軟質粘着体の厚みは、０．１ｍｍ〜２ｍｍで、
前記軟質粘着体は、シリコン接着剤、或いはポリウレタン系接着剤で、前記接着剤は、移動させて接着できる接着剤、或いは永久接着剤であることを特徴とする平坦でない表面に用いるフック用防水軟質シール。
【請求項３】
平坦でない表面に用いるフック用防水軟質シールであって、軟質粘着体を備え、前記軟質粘着体の表面には、加工工程を利用して成形する軟質滑らか面を設置し、前記軟質粘着体の底部には、接着剤を均一に設置し、前記軟質粘着体の厚みは、０．１ｍｍ〜２ｍｍで、
前記軟質粘着体は、シリコン接着剤、或いはポリウレタン系接着剤で、前記接着剤は、移動させて接着できる接着剤、或いは永久接着剤であることを特徴とする平坦でない表面に用いるフック用防水軟質シール。
【考案の詳細な説明】
【技術分野】
【０００１】
本考案は、平坦でない表面に用いるフック用防水軟質シールに関し、平坦でない表面に堅固に粘着でき、しかも防水効果を備える平坦でない表面に用いるフック用防水軟質シールに関する。
【背景技術】
【０００２】
近年、インテリアデザインでは、使用する材料に質感、多様性、変化が求められている。
壁面の装飾においても、これまでのように単純に平面の壁紙を貼ったり、ペンキを塗ったりして壁面を美化するのではなく、凹凸があるラインで模様を描いた壁紙や、自然で立体的な木目にこだわったシートにより、室内のデザイン感覚とスタイルを表現する方法が使われ始めている。そのため、平面の壁体上に接着して固定する従来の背面粘着式、吸盤式、或いは静電吸着式フックは、これらの凹凸模様がある、或いは平坦でない壁面に、そのまま使用することはできない。さらに、従来の背面粘着式吸盤の粘着体構造は、そのものの孔隙が大き過ぎ、ある程度の時間、壁面に粘着させた後は、空気や水分が粘着体の孔隙に入り込むことで、粘着体が緩み脱落し、落下してしまう。
これでは、フックに掛けていた物品が破損する状況が発生する。
また、湿った環境で使用することもできない。
【考案の概要】
【考案が解決しようとする課題】
【０００３】
しかし、上述した考案は使用上に欠点があり、改善する必要がある。その原因は下記の通りである。
【０００４】
本考案は、上述の問題に鑑みてなされたものであり、その目的は、軟質粘着体を平坦でない表面に密着させることで、凹凸模様を備える材質、壁紙、或いは平坦でない壁面上に平坦で滑らかなエリアを形成し、このエリアに、粘着式、吸盤式、或いは静電吸着式フックを堅固に粘着させ、或いは吸着させ、各フックを平坦でない表面に固定して使用することができる平坦でない表面に用いるフック用防水軟質シールを提供することにある。
【課題を解決するための手段】
【０００５】
本考案による平坦でない表面に用いるフック用防水軟質シールは、軟質粘着体を備える。
軟質粘着体の表面には、滑らかな樹脂により成形する硬質滑らか面を設置する。
軟質粘着体の底部には、接着剤を均一に設置する。
軟質粘着体の厚みは０．１ｍｍ〜２ｍｍである。
軟質粘着体は、シリコン接着剤或いはポリウレタン系接着剤である。
接着剤は、移動可能な接着剤、或いは永久接着剤である。
【考案の効果】
【０００６】
本考案により、軟質粘着体を平坦でない表面に密着させることで、凹凸模様を備える材質、壁紙、或いは平坦でない壁面上に平坦で滑らかなエリアを形成し、このエリアに、粘着式、吸盤式、或いは静電吸着式フックを堅固に粘着させ、或いは吸着させ、各フックを平坦でない表面に固定して使用することができる。
【図面の簡単な説明】
【０００７】
【図１】本考案の立体図（一）である。
【図２】本考案の立体図（二）である。
【図３】本考案の立体図（三）である。
【図４】本考案の実施形態図（一）である。
【図５】本考案の実施形態図（二）である。
【図６】本考案の実施形態図（三）である。
【考案を実施するための形態】
【０００８】
（第一実施形態）
本考案の第一実施形態による平坦でない表面に用いるフック用防水軟質シールを図面に基づいて説明する。
図１、４に示すように、平坦でない表面に用いるフック用防水軟質シール１は、軟質粘着体２を備える。
【０００９】
軟質粘着体２は、シリコン接着剤を使用し、しかも軟質粘着体２の厚みは１ｍｍである。
軟質粘着体２の表面と底部には、移動させて接着できる接着剤３を均一に設置する。
軟質粘着体２の厚みは、０．１ｍｍ〜２ｍｍの間の厚みに設置することができる。
軟質粘着体２は、ポリウレタン系接着剤を使用することもできる。
接着剤３は、永久接着剤を使用することもできる。
【００１０】
軟質粘着体２の表面には、接着剤３を設置する。
そのため、使用者は、一般のプラスチックフックを軟質粘着体２の表面に粘着させ、こうしてフックに物品を掛けて使用することができる。
または、使用者は、物件７１を軟質粘着体２の表面に直接接着させて固定することもできる。
【００１１】
（第二実施形態）
図２、５に示すように、本考案第二実施形態による平坦でない表面に用いるフック用防水軟質シール１は、軟質粘着体２を備える。
【００１２】
軟質粘着体２は、シリコン接着剤を使用し、しかも軟質粘着体２の厚みは１ｍｍである。
軟質粘着体２の表面には、滑らかな樹脂で成形する硬質滑らか面４を設置する。
軟質粘着体２の底部には、移動させて接着できる接着剤３を均一に設置する。
軟質粘着体２の厚みは、０．１ｍｍ〜２ｍｍの間の厚みに設置することができる。
軟質粘着体２は、ポリウレタン系接着剤を使用することもできる。
接着剤３は、永久接着剤を使用することもできる。
【００１３】
軟質粘着体２の表面には、硬質滑らか面４を設置する。
そのため、滑らか面を備えない一般の壁体構造に比べ、より優れた粘着効果或いは吸着力をフックに提供することができ、フックの荷重能力を大幅に向上させることができる。
こうして、使用者は、一般の粘着式、吸盤式、或いは静電吸着式フック６を、軟質粘着体２表面の硬質滑らか面４に堅固に粘着、或いは吸着させられ、フック６に物品を掛けて使用することができる。
【００１４】
（第三実施形態）
図３、６に示すように、本考案第三実施形態による平坦でない表面に用いるフック用防水軟質シール１は、軟質粘着体２を備える。
【００１５】
軟質粘着体２は、シリコン接着剤を使用し、しかも軟質粘着体２の厚みは１ｍｍである。
軟質粘着体２の表面には、加工構成を利用して成形する軟質滑らか面２１を設置する。
軟質粘着体２の底部には、移動させて接着できる接着剤３を均一に設置する。
軟質粘着体２の厚みは、０．１ｍｍ〜２ｍｍの間の厚みに設置することができる。
軟質粘着体２は、ポリウレタン系接着剤を使用することもできる。
接着剤３は、永久接着剤を使用することもできる。
【００１６】
軟質粘着体２の表面には、軟質滑らか面２１を成形する。
そのため、滑らか面を備えない一般の壁体構造に比べ、より優れた粘着効果或いは吸着力をフックに提供することができ、フックの荷重能力を大幅に向上させることができる。
こうして、使用者は、一般の粘着式、吸盤式、或いは静電吸着式フック６を、軟質粘着体２表面の軟質滑らか面２１に堅固に粘着、或いは吸着させられ、フック６に物品を掛けて使用することができる。
【００１７】
使用者は、平坦でない表面に用いるフック用防水軟質シール１の軟質粘着体２の底部を、凹凸模様のある材質、木製、壁紙、或いは平坦でない壁面に粘着させて固定することができる。
こうして、軟質粘着体２の厚み、及びそのものが備える極めて優れた延性、及び柔軟な弾性体の特性を利用し、凹凸があり、平坦でない表面に緊密に接着することができ、平坦なエリアを形成することができる。
【００１８】
軟質粘着体２は、シリコン接着剤を使用する。
シリコン接着剤は、一般の接着剤に比べ、より微細な孔隙構造特性を備えるため、環境中の空気、水分、湿気は、軟質粘着体２に浸み込みにくく、或いは吸着しにくい。
そのため、非常に良好な防水、密封特性を達成することができる。
よって、フック用防水軟質シール１を、湿度の高い、或いは水分の覆い環境中（浴室など）で長期間使用したとしても、粘着して固定する平坦でない表面から脱落するなどの問題が発生する恐れはない。
【００１９】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００２０】
１  フック用防水軟質シール
２  軟質粘着体
２１  軟質滑らか面
３  接着剤
４  硬質滑らか面
６  フック
７  平坦でない壁面
７１  物件
【図１】
0003194280.tif 000003
【図２】
0003194280.tif 000004
【図３】
0003194280.tif 000005
【図４】
0003194280.tif 000006
【図５】
0003194280.tif 000007
【図６】
0003194280.tif 000008